(57)【特許請求の範囲】
【請求項１】
常時は開放方向に付勢された障子に連結されたワイヤの一端が固着された巻き取りドラムを正転させることによりワイヤを巻き取りドラムに巻き取って障子を閉鎖し、障子への開放付勢力に基づく巻き取りドラムの逆転によりワイヤを巻き取りドラムから繰り出して、障子を開放するようにした窓開閉操作装置であって、巻き取りドラムの逆転を禁止する禁止手段と、この禁止手段の逆転禁止を解除する解除手段とを具備しており、禁止手段は、巻き取りドラムの外周部に形成された歯に係合する爪部材と、この爪部材を備えていると共に、切り欠き部を具備した揺動自在な揺動部材と、巻き取りドラムの回転による爪部材を介する揺動部材の一方の揺動を、切り欠き部での揺動部材への係合により阻止して、巻き取りドラムの逆転を禁止するローラとを具備しており、解除手段は、外部から手動操作可能となるように配されて、手動操作によりローラを切り欠き部から離脱させて禁止手段の逆転禁止を解除する押しボタンを具備しており、切り欠き部は、揺動部材の揺動方向における当該揺動部材の一対の壁により規定されており、ローラは、その回転自在な外周面での、切り欠き部を規定する揺動部材の一方の壁への当接による係合でもって、巻き取りドラムの回転による爪部材を介する揺動部材の一方の揺動を阻止するようになっており、押しボタンは、その手動操作により、ローラと一方の壁との当接を解除して、切り欠き部からローラを離脱させるようになっており、揺動部材は、切り欠き部からローラが離脱されて巻き取りドラムの逆転が可能とされる際に、当該ローラに当接して一定以上の一方の揺動が阻止されて、巻き取りドラムの逆転後の正転において爪部材と歯との再係合を保証する壁を更に具備している窓開閉操作装置。
【請求項２】
禁止手段は、揺動部材を一方の揺動方向に弾性的に付勢する弾性手段を更に具備しており、巻き取りドラムが正転される際に、爪部材と歯との係合が断続的に解除されるように、揺動部材が弾性手段により付勢されて揺動されるようになっている請求項１に記載の窓開閉操作装置。
【請求項３】
爪部材は、揺動部材に、当該揺動部材の揺動軸心と同心に揺動自在に装着されており、禁止手段は、爪部材を揺動部材に対して前記一方の揺動方向と反対の他方の揺動方向に弾性的に付勢する他の弾性手段を更に具備しており、巻き取りドラムが逆転される際に、爪部材と歯との係合が断続的に解除されるように、爪部材が揺動部材に対して他の弾性手段により揺動されるようになっている請求項１又は２に記載の窓開閉操作装置。
【請求項４】
ローラは、巻き取りドラムの逆転を禁止している際には、切り欠き部を規定する揺動部材の一方の壁にその回転自在な外周面が当接するように、押しボタンに回転自在に取り付けられている請求項１から３のいずれか一項に記載の窓開閉操作装置。
【請求項５】
巻き取りドラムの逆転における当該巻き取りドラムの回転速度を抑える制動手段を更に具備している請求項１から４のいずれか一項に記載の窓開閉操作装置。
【請求項６】
巻き取りドラムを回転させる回転手段を更に具備しており、この回転手段は、折り畳み自在な操作ハンドルと、この操作ハンドルが折り畳み解除された際には、操作ハンドルの回転を巻き取りドラムの回転軸部に伝達できるように、巻き取りドラムの回転軸部に係合し、操作ハンドルが折り畳まれた際には、巻き取りドラムの回転軸部への係合を解除する、自動解除付き回転伝達手段を具備している請求項１から５のいずれか一項に記載の窓開閉操作装置。
【請求項７】
操作ハンドルは、一端部で巻き取りドラムの回転軸部の回りで回転自在となるように配されたハンドル基部と、このハンドル基部の他端部に、一端部がヒンジ連結されたハンドル部と、このハンドル部の他端部に取り付けられた把持部とを具備しており、自動解除付き回転伝達手段は、巻き取りドラムの回転軸部に形成された凹凸部と、ハンドル基部に摺動自在に配されて、凹凸部に係合自在な凸部を備えたスライド体と、凸部の凹凸部への係合を解除する方向にスライド体を弾性的に付勢する弾性係合解除手段と、ハンドル部の一端部に形成されており、操作ハンドルが折り畳み解除される際にスライド体に当接して、凸部を凹凸部に係合させる方向に弾性係合解除手段の弾性力に抗してスライド体を摺動させるカム面とを具備している請求項５又は６に記載の窓開閉操作装置。
【発明の詳細な説明】
【０００１】
【発明の属する技術分野】
本発明は、常時は開放方向に付勢された障子に連結されたワイヤの一端が固着された巻き取りドラムを正転させることによりワイヤを巻き取りドラムに巻き取って障子を閉鎖し、障子への開放付勢力に基づく巻き取りドラムの逆転によりワイヤを巻き取りドラムから繰り出して、障子を開放するようにした窓開閉操作装置に関する。
【０００２】
【発明が解決しようとする課題】
窓開閉操作装置としては、実公平６−１３９８２号公報に記載されているものがあるが、この公報に記載された窓開閉操作装置では、巻き取りドラムに形成されたラチェットホイールに係合する二つの爪部材を設けて、ワイヤを巻き取りドラムに巻き取る際には、一方の爪部材をラチェットホイールに係合させて、巻き取りドラムの逆転を禁止（ロック）し、ワイヤを巻き取りドラムから繰り出す際には、押しボタンの操作により一方の爪部材とラチェットホイールとの係合を解除して、他方の爪部材をラチェットホイールに係合させ、繰り出し後のワイヤの巻き取りにおいては、他方の爪部材とラチェットホイールとの係合により押しボタンの自動復帰を行わせるようにしている。
【０００３】
ところで、公報に記載の窓開閉操作装置においては、ラチェットホイールの回転で、他方の爪部材をラチェットホイールの係止歯から押し出すようにして押しボタンの自動復帰を行っているために、他方の爪部材とラチェットホイールの係止歯との間の摩擦が大きいと、押しボタンの自動復帰がスムーズに行われない虞があり、また、他方の爪部材とラチェットホイールの係止歯との係合角が浅いものでないと、他方の爪部材をラチェットホイールの係止歯から押し出すことが困難となり、他方の爪部材がラチェットホイールの回転に対しての突っ張り部材となり、結局、上記と同様に、押しボタンの自動復帰をスムーズに且つ信頼性をもって行い得ない場合が生じ得る。
【０００４】
また、二つの爪部材を設けるために構造が複雑となり、しかも、この二つの爪部材及びラチェットホイールの係止歯を上記の不都合が生じないように、設計、調整しなければならないために、コストアップになる虞がある。
【０００５】
更に、公報に記載の窓開閉操作装置においては、操作ハンドルは着脱式となっているために、操作ハンドルの紛失等により障子を閉鎖できなくなる場合があり、それ程実用的であるとは言えない。
【０００６】
本発明は、前記諸点に鑑みてなされたものであって、その目的とするところは、押しボタンの自動復帰は勿論のこと、押しボタンの操作をスムーズに行うことができる窓開閉操作装置を提供することにある。
【０００７】
本発明の他の目的とするところは、操作ハンドルの紛失等を生じさせることがなく、しかも、操作ハンドルの折り畳みにより、操作ハンドルと巻き取りドラムとの連結を自動的に解除できる窓開閉操作装置を提供することにある。
【０００８】
【課題を解決するための手段】
本発明の第一の態様の窓開閉操作装置は、常時は開放方向に付勢された障子に連結されたワイヤの一端が固着された巻き取りドラムを正転させることによりワイヤを巻き取りドラムに巻き取って障子を閉鎖し、障子への開放付勢力に基づく巻き取りドラムの逆転によりワイヤを巻き取りドラムから繰り出して、障子を開放するようにした窓開閉操作装置であって、巻き取りドラムの逆転を禁止する禁止手段と、この禁止手段の逆転禁止を解除する解除手段とを具備しており、禁止手段は、巻き取りドラムの外周部に形成された歯に係合する爪部材と、この爪部材を備えていると共に、切り欠き部を具備した揺動自在な揺動部材と、巻き取りドラムの回転による爪部材を介する揺動部材の一方の揺動を、切り欠き部での揺動部材への係合により阻止するローラとを具備しており、解除手段は、外部から手動操作可能となるように配されて、手動操作によりローラを切り欠き部から離脱させる押しボタンを具備している。
【０００９】
本発明の第一の態様の窓開閉操作装置では、禁止手段が揺動部材に係合するローラを具備しているために、禁止手段における禁止解除を行わせる押しボタンの操作並びに当該押しボタンの自動復帰をスムーズに行うことができ、また、自動復帰においても巻き取りドラムの回転を単一の爪部材を介して揺動部材に伝達するようにしているために、上記の作用と相俟って押しボタンの自動復帰をスムーズに行うことができると共に、設計、調整を簡単に行い得る。
【００１０】
本発明の第二の態様の窓開閉操作装置では、第一の態様の窓開閉操作装置において、禁止手段は、揺動部材を一方の揺動方向に弾性的に付勢する弾性手段を更に具備しており、巻き取りドラムが正転される際に、爪部材と歯との係合が断続的に解除されるように、揺動部材が弾性手段により付勢されて揺動されるようになっている。
【００１１】
第二の態様の窓開閉操作装置によれば、巻き取りドラムの正転中に爪部材と歯との係合が断続的に解除されるようになっているために、巻き取りドラムの正転を一時停止しても、直ちに禁止手段を働かせることができ、フェールセーフな窓開閉操作装置とし得る。
【００１２】
本発明の第三の態様の窓開閉操作装置では、第一又は第二の態様の窓開閉操作装置において、爪部材は、揺動部材に、当該揺動部材の揺動軸心と同心に揺動自在に装着されており、禁止手段は、爪部材を揺動部材に対して前記一方の揺動方向と反対の他方の揺動方向に弾性的に付勢する他の弾性手段を更に具備しており、巻き取りドラムが逆転される際に、爪部材と歯との係合が断続的に解除されるように、爪部材が揺動部材に対して他の弾性手段により揺動されるようになっている。
【００１３】
第三の態様の窓開閉操作装置によれば、障子の開放後、爪部材と歯との係合を直ちに確保できるために、巻き取りドラムの正転を行えば、押しボタンの自動復帰を直ちに行うことができる。
【００１４】
本発明の第四の態様の窓開閉操作装置では、上記のいずれかの態様の窓開閉操作装置において、ローラは、巻き取りドラムの逆転を禁止している際には、切り欠き部を規定する揺動部材の一方の壁にその回転自在な外周面が当接するように、押しボタンに回転自在に取り付けられている。
【００１５】
第四の態様の窓開閉操作装置において、押しボタンに軸を固着して、この軸にローラを回転自在に取り付けても、これに代えて、押しボタンに軸を回転自在に取り付けて、この軸にローラを固着又は回転自在に取り付けてもよく、いずれにしても、切り欠き部を規定する揺動部材の一方の壁に回転自在な外周面が当接するように、ローラを回転自在となるようにすればよい。
【００１６】
本発明の第五の態様の窓開閉操作装置では、上記のいずれかの態様の窓開閉操作装置において、揺動部材は、切り欠き部からローラが離脱されて巻き取りドラムの逆転が可能とされる際に、当該ローラに当接して一定以上の一方の揺動が阻止されて、巻き取りドラムの逆転後の正転において爪部材と歯との再係合を保証する壁を更に具備している。
【００１７】
本発明の第六の態様の窓開閉操作装置では、上記のいずれかの態様の窓開閉操作装置において、巻き取りドラムの逆転における当該巻き取りドラムの回転速度を抑える制動手段を更に具備している。
【００１８】
第六の態様の窓開閉操作装置によれば、このような制動手段を備えることにより、障子の開放を制御された速度にでき、障子の最大開放におけるストッパ部材への激突を避けることができ、障子及びその硝子並びにストッパ部材等の損壊を好ましく防止できる。
【００１９】
本発明の第七の態様の窓開閉操作装置では、上記のいずれかの態様の窓開閉操作装置において、巻き取りドラムを回転させる回転手段を更に具備しており、この回転手段は、折り畳み自在な操作ハンドルと、この操作ハンドルが折り畳み解除された際には、操作ハンドルの回転を巻き取りドラムの回転軸部に伝達できるように、巻き取りドラムの回転軸部に係合し、操作ハンドルが折り畳まれた際には、巻き取りドラムの回転軸部への係合を解除する、自動解除付き回転伝達手段を具備している。
【００２０】
第七の態様の窓開閉操作装置によれば、折り畳み自在な操作ハンドルを備えているために、操作ハンドルの紛失等を生じさせることがなく、しかも、自動解除付き回転伝達手段を具備しているために、巻き取りドラムの逆転に際して、操作ハンドルの回転を好ましく避けることができる。
【００２１】
本発明の第八の態様の窓開閉操作装置では、第六又は第七の態様の窓開閉操作装置において、操作ハンドルは、一端部で巻き取りドラムの回転軸部の回りで回転自在となるように配されたハンドル基部と、このハンドル基部の他端部に、一端部がヒンジ連結されたハンドル部と、このハンドル部の他端部に取り付けられた把持部とを具備しており、自動解除付き回転伝達手段は、巻き取りドラムの回転軸部に形成された凹凸部と、ハンドル基部に摺動自在に配されて、凹凸部に係合自在な凸部を備えたスライド体と、凸部の凹凸部への係合を解除する方向にスライド体を弾性的に付勢する弾性係合解除手段と、ハンドル部の一端部に形成されており、操作ハンドルが折り畳み解除される際にスライド体に当接して、凸部を凹凸部に係合させる方向に弾性係合解除手段の弾性力に抗してスライド体を摺動させるカム面とを具備している。
【００２２】
第八の態様の窓開閉操作装置によれば、実質的にハンドル基部に自動解除付き回転伝達手段を収容でき、折り畳まれた操作ハンドルの厚みを薄くでき、コンパクトな操作ハンドルを有した窓開閉操作装置を提供できる。
【００２３】
【発明の実施の形態】
次に本発明及びその実施の形態を、図に示す好ましい例を参照して更に詳細に説明する。なお、本発明はこの例に何等限定されないのである。
【００２４】
【実施例】
図１から図７において、本例の窓開閉操作装置１は、常時は開放方向にガスステイ２により付勢された障子３に連結されたワイヤ４の一端５が固着された巻き取りドラム６を正転、すなわちＦ方向に回転させることによりワイヤ４を巻き取りドラム６に巻き取って障子３を閉鎖し、ガスステイ２のガス圧及び障子３の自重に基づく障子３への開放付勢力により巻き取りドラム６の逆転、すなわちＲ方向の回転によりワイヤ４を巻き取りドラム６から繰り出して、障子３を開放するようになっている。
【００２５】
なお、本例では、障子３への開放付勢力を、ガスステイ２のガス圧及び障子３の自重により与えているが、これに代えて、障子３の自重のみで与えてもよく、また、板ばね又はコイルばね等により与えてもよい。
【００２６】
各ガスステイ２は、障子３の枠１１と窓枠１２との間に配されており、各障子３を常時そのガス圧により開放方向に付勢している。障子３及び窓枠１２等からなる排煙窓１３の窓枠１２に一端で回動自在に軸支された各障子３の夫々及び窓枠１２には、プーリ１４が取り付けられており、他端１５が窓枠１２に固定されたワイヤ４は、各プーリ１４を通って配索されている。
【００２７】
手動操作可能なように、排煙窓１３の下方の壁面等に配される窓開閉操作装置１は、前記の巻き取りドラム６と、巻き取りドラム６を回転させる回転手段２１と、巻き取りドラムの逆転を禁止する禁止手段２２と、禁止手段２２の逆転禁止を解除する解除手段２３と、巻き取りドラム６の逆転における巻き取りドラム６の回転速度を抑える制動手段２４と、排煙窓１３の下方の壁面等にねじ等により固着される基台２５と、基台２５にねじ２６等により取り付けられた中間基板２７と、ドラム６、禁止手段２２及び中間基板２７等を覆うように、基台２５に着脱自在に取り付けられており、貫通孔２９及び３０を有した化粧カバー２８とを具備している。
【００２８】
巻き取りドラム６は、中空軸部３１、中空歯付き鍔部３２及び有底中空巻き取り部３３を一体的に有するドラム本体３４と、ドラム本体３４の有底中空巻き取り部３３にねじ３５により固着されており、歯付き鍔部３６及び一端部に歯車部３８が形成された回転軸部３７を一体的に有する駆動体３９とを具備しており、中空軸部３１は、基台２５の円筒状の突起４１の内周面４２に摺動自在に接触して、軸受としての突起４１により軸心４３を中心として回転自在に支持されており、中空歯付き鍔部３２、歯付き鍔部３６及び歯車部３８の夫々は、その外周部に歯４４、４５及び４６を備えている。
【００２９】
巻き取りドラム６は、軸心４３を中心としたＦ方向の回転により、これに一端５が固着されたワイヤ４を有底中空巻き取り部３３に巻き取り、解除手段２３の作動で、軸心４３を中心としたＦ方向と逆のＲ方向の回転により、中空巻き取り部３３に巻き取ったワイヤ４を繰り出すようになっている。
【００３０】
禁止手段２２は、巻き取りドラム６の中空歯付き鍔部３２の外周部に形成された歯４４に係合する爪部材５１と、爪部材５１を備えていると共に、切り欠き部５２を具備して、揺動軸心５５の周りでＡ及びＢ方向に揺動自在な揺動部材５３と、切り欠き部５２での揺動部材５３への係合により揺動部材５３のＡ方向の揺動を阻止するローラ５４とを具備している。
【００３１】
揺動部材５３は、半円板状の揺動部材本体６１と、切り欠き部５２を有して、揺動部材本体６１にねじ６２により固着された板体６３とを具備しており、爪部材５１と共に揺動部材本体６１及び板体６３は、基台２５に植設された軸６４に、当該軸６４の周り、すなわち揺動軸心５５の周りでＡ及びＢ方向に揺動自在に支持されて、軸６４に螺合したねじ６５を介して取り付けられている。切り欠き部５２は、揺動部材５３の揺動方向において約４５°の角度範囲に渡って板体６３に形成されており、したがって、切り欠き部５２を規定する板体６３の揺動方向における壁６６及び６７は、約４５°の角度をもって対向している。
【００３２】
揺動部材５３の揺動方向における揺動部材本体６１の一方の平坦面６８は、壁６７と面一に配されており、巻き取りドラム６の逆転後の正転において爪部材５１と歯４４との再係合を保証する壁としての他方の平坦面６９は、平坦面６８から揺動部材５３の揺動方向において約１８０°隔たって配されている。揺動部材本体６１には、更に溝７０が形成されており、溝７０には、爪部材５１に当接して、爪部材５１を揺動部材５３に対して弾性的にＢ方向に付勢する弾性手段としてのコイルばね７１が配されている。
【００３３】
コイルばね７１によりＢ方向に付勢されている爪部材５１は、当該爪部材５１を貫通する軸６４にＡ及びＢ方向に揺動自在に支持されていると共に、揺動部材本体６１自体に対しても多少Ａ及びＢ方向に揺動自在となるように、揺動部材本体６１の凹所７２に遊嵌されており、爪部材５１の先端部７３は、揺動部材本体６１から突出して、歯４４に係合するようになっている。
【００３４】
揺動部材５３は、基台２５の突出台７５に一端７６が係止され、中間部７７が軸６４の大径下部７８に巻き付けられ、他端７９が揺動部材本体６１の平坦面６８に係合した弾性手段としての捩りコイルばね８０により、常時Ａ方向に付勢されている。
【００３５】
ローラ５４は、ねじ８５を介して軸８６に回転自在に取り付けられており、巻き取りドラム６の逆転、すなわちＲ方向の回転を禁止している際には、切り欠き部５２を規定する板体６３の一方の壁６６にその回転自在な外周面が当接するようになっている。
【００３６】
解除手段２３は、外部から手動操作可能となるように配されて、手動操作によりローラ５４を切り欠き部５２から離脱させる押しボタン９１と、押しボタン９１を摺動自在に保持する保持体９２と、押しボタン９１を元の位置に復帰させる弾性手段としてのコイルばね９３とを具備している。
【００３７】
押しボタン９１は、ボタン本体９４と、ボタン本体９４に嵌着されて、貫通孔２９に配されたボタンカバー９５と、ボタン本体９４に取り付けられて、ローラ５４を回転自在に支持する前記の軸８６とを具備しており、ボタン本体９４は、その下端の鍔部９６が保持体９２の内周面の段部９７に係合して、保持体９２から飛び出さないようになっており、保持体９２は、ねじ９８により基台２５に固着されており、コイルばね９３は、一端がボタン本体９４の有底孔９９においてボタン本体９４に当接し、他端が基台２５に当接して、押しボタン９１を元の位置に復帰させるように、ボタン本体９４を弾性的に付勢している。
【００３８】
解除手段２３は、コイルばね９３の弾性力に抗してボタンカバー９５が人手により押されて、ボタン本体９４がコイルばね９３を縮めながら保持体９２内に更に挿入されることにより、ローラ５４と壁６６との当接を解除して、切り欠き部５２からローラ５４を離脱させて、揺動部材５３をＡ方向に揺動可能とし、而して、巻き取りドラム６の逆転、すなわちＲ方向の回転を可能にする。
【００３９】
回転手段２１は、折り畳み自在な操作ハンドル１０１と、図１、図２及び図８に示すように操作ハンドル１０１が折り畳み解除された際には、操作ハンドル１０１の回転を巻き取りドラム６の回転軸部３７に伝達できるように、巻き取りドラム６の回転軸部３７に係合し、図５及び図６に示すように操作ハンドル１０１が折り畳まれた際には、巻き取りドラム６の回転軸部３７への係合を解除する、自動解除付き回転伝達手段１０２とを具備している。
【００４０】
操作ハンドル１０１は、円筒状の一端部１１１で巻き取りドラム６の回転軸部３７の回りで回転自在となるように配されたハンドル基部１１２と、ハンドル基部１１２の他端部１１３に、一端部１１４がヒンジ機構１１５を介してヒンジ連結されたハンドル部１１６と、ハンドル部１１６の他端部１１７に回転自在に又は固定的に取り付けられた把持部１１８とを具備している。
【００４１】
ハンドル基部１１２は、前記の円筒状の一端部１１１と、スリット１２１が形成された板状の中間部１２２と、膨大二股状に形成された前記の他端部１１３とを一体的に具備しており、一端部１１１が、貫通孔３０を貫通した中間基板２７の円筒部１２３と巻き取りドラム６の回転軸部３７との間の環状隙間に鍔付き円筒滑り軸受１２４及び１２５を介して配されて、回転軸部３７の軸心４３の回りでＦ及びＲ方向に回転自在とされている。
【００４２】
ハンドル部１１６は、膨大に形成された前記の一端部１１４を一体的に有して、板体から形成されている。
【００４３】
ヒンジ機構１１５は、膨大二股状に形成された他端部１１３と、他端部１１３間に配された一端部１１４とを貫通した軸１２６からなり、ハンドル基部１１２とハンドル部１１６とを折り畳み自在に連結している。
【００４４】
自動解除付き回転伝達手段１０２は、巻き取りドラム６の回転軸部３７に形成された凹凸部としての歯４６と、ハンドル基部１１２のスリット１２１にＣ及びＤ方向に摺動自在に配されて、歯４６に係合する凸部としての爪１３１を一体的に備えて、中央にスリット１４１を有した板状のスライド体１３２と、爪１３１の歯４６への係合を解除するように、スライド体１３２をＤ方向に弾性的に付勢する弾性係合解除手段１３３と、ハンドル部１１６の一端部１１４に形成されており、操作ハンドル１０１が折り畳み解除される際にスライド体１３２に当接して、爪１３１を歯４６に係合させるように、弾性係合解除手段１３３の弾性力に抗してスライド体１３２をＣ方向に摺動させるカム面１３４とを具備している。
【００４５】
弾性係合解除手段１３３は、スリット１４１に配された弾性手段としてのコイルばね１４２と、ハンドル基部１１２の中間部１２２にねじ１４３を介して取り付けられて、曲折された係止部１４４を有しており、当該係止部１４４がコイルばね１４２の一端を係止した係止板１４５とを具備しており、コイルばね１４２は、他端でスライド体１３２に当接して、当該スライド体１３２をＤ方向に付勢している。
【００４６】
カム面１３４は、スライド体１３２の一端に当接するハンドル部１１６の一端部１１４の外周面からなり、操作ハンドル１０１が折り畳まれる際には、コイルばね１４２の弾性力によるスライド体１３２のＤ方向の摺動を許容し、操作ハンドル１０１の折り畳みが順次解除される際には、コイルばね１４２の弾性力に抗してスライド体１３２をＣ方向に順次摺動させて、爪１３１を歯４６に向かって突出させる。
【００４７】
操作ハンドル１０１は、折り畳まれている際には、図５及び図６に示すように、その把持部１１８が化粧カバー２８の下面１５１に平行に配置されるようになっている。
【００４８】
回転手段２１は、折り畳み解除された状態で操作ハンドル１０１がＦ方向に回転されることにより、爪１３１の歯４６への係合を介して、巻き取りドラム６をＦ方向に回転させようになっている。巻き取りドラム６がＦ方向に回転されようとすると、歯４４と爪部材５１との係合により揺動部材５３がＢ方向に揺動されて、その後、図９に示すように、爪部材５１と歯４４との係合が断続的に解除されるように、コイルばね８０の弾性力と巻き取りドラム６のＦ方向の回転とにより揺動部材５３が揺動される。
【００４９】
制動手段２４は、鍔部３６の歯４５に噛み合うようにして、中間基板２７に回転自在に支持された歯車１６１と、歯車１６１に噛み合うピニオン１６２を一体的に有して、一端部１６３で中間基板２７に、他端部１６４で基台２５に回転自在に支持された軸部材１６５と、軸部材１６５に径方向に突出して形成された複数の突起１６６の夫々に、径方向に移動自在に装着された制動部材１６７と、各制動部材１６７の外周部の溝１６８に装着されて各制動部材１６７の周囲を取り囲み、各制動部材１６７を軸部材１６５に向かって弾性的に付勢するガータスプリング１６９と、基台２５に一体的に形成された筒状部１７０とを具備しており、各制動部材１６７は、筒状部１７０に囲まれて配されている。
【００５０】
制動手段２４は、歯車１６１の回転でピニオン１６２を介して軸部材１６５が回転されることにより、制動部材１６７に遠心力を与えて、一定以上の大きさの遠心力により制動部材１６７をガータスプリング１６９の弾性力に抗して径方向の外側に移動させて、制動部材１６７の外周面を筒状部１７０の内周面に摩擦接触させて、制動部材１６７の回転、すなわち歯車１６１の回転に制動を与えるようになっている。
【００５１】
制動手段２４のこの制動作用により、巻き取りドラム６の逆転におけるその回転速度を抑えて、障子３の窓枠１２への激突を防止するようにしている。
【００５２】
以上の窓開閉操作装置１では、折り畳み解除された状態で操作ハンドル１０１がＦ方向に回転されることにより、巻き取りドラム６が同じくＦ方向に回転されると、歯４４と爪部材５１との係合により揺動部材５３がＢ方向に揺動され、この揺動により図９に示すように、歯４４と爪部材５１との係合が解除され、以後、操作ハンドル１０１のＦ方向の連続的な回転で、歯４４と爪部材５１との係合が断続的に解除されるようにして、巻き取りドラム６がＦ方向に回転される結果、ワイヤ４が巻き取りドラム６に巻き取られて、而して、ガスステイ２のガス圧等に抗して障子３を閉鎖することができる。
【００５３】
完全閉鎖後又は閉鎖途中で、操作ハンドル１０１へのＦ方向の回転力の付与を停止すると、巻き取りドラム６の若干のＲ方向の回転と、歯４４への爪部材５１への係合とにより、揺動部材５３がＡ方向に揺動されて、揺動部材５３の壁６６がローラ５４に当接し、これにより揺動部材５３のＡ方向の揺動が阻止される結果、歯４４と爪部材５１との係合がしっかりと確保され、以後、巻き取りドラム６のＲ方向の回転が阻止され、障子３の完全閉鎖又は半開きが維持される。
【００５４】
また、窓開閉操作装置１では、操作ハンドル１０１が折り畳み解除された状態で、ボタンカバー９５が押されると、図１０に示すように壁６６のローラ５４への当接が解除されて、揺動部材５３がＡ方向に揺動可能となり、揺動部材５３は、ワイヤ４を介するガスステイ２のガス圧等による巻き取りドラム６の若干のＲ方向の回転で、歯４４と爪部材５１との係合を介して、同じくＡ方向に揺動され、この揺動により歯４４と爪部材５１との係合が解除され、以後、巻き取りドラム６は、ワイヤ４を介するガスステイ２のガス圧等によりＲ方向に回転され、巻き取りドラム６からワイヤ４が繰り出され、巻き取りドラム６のＲ方向の継続的なこの回転において、コイルばね７１の弾性力とガスステイ２のガス圧等とにより歯４４と爪部材５１との係合が断続的に解除されながらの巻き取りドラム６からのワイヤ４の繰り出しで、障子３が完全開放されると、図示しないストッパに障子３が当接して、ワイヤ４の繰り出しが停止され、巻き取りドラム６のＲ方向の回転が停止される。
【００５５】
そして、窓開閉操作装置１では、巻き取りドラム６のＲ方向の回転が速くなると、制動部材１６７の外周面の筒状部１７０の内周面にへの摩擦接触が生じて、巻き取りドラム６のＲ方向の回転に制動を与えて、障子３の図示しないストッパへの激突を避けるようになっており、また、操作ハンドル１０１が折り畳まれた状態では、爪１３１の歯４６への係合が解除されているために、巻き取りドラム６のＲ方向の回転においては、操作ハンドル１０１が回転しないようになっている。なお、窓開閉操作装置１では、揺動部材５３は平坦面６９を具備しているため、切り欠き部５２からローラ５４が離脱されて、巻き取りドラム６の逆転が可能とされる際に、平坦面６９がローラ５４に当接して一定以上の揺動部材５３のＡ方向の揺動が阻止されて、巻き取りドラム６の逆転後の正転において爪部材５１と歯４４との再係合が保証されるようになっている。
【００５６】
上記のように窓開閉操作装置１では、禁止手段２２が揺動部材５３に係合するローラ５４を具備しているために、禁止手段２２における禁止解除を行わせる押しボタン９１の操作並びに押しボタン９１の自動復帰をスムーズに行うことができ、また、自動復帰においても巻き取りドラム６の回転を単一の爪部材５１を介して揺動部材５３に伝達するようにしているために、上記の作用と相俟って押しボタン９１の自動復帰をスムーズに行うことができると共に、設計、調整を簡単に行い得る。
【００５７】
更に窓開閉操作装置１では、巻き取りドラム６のＦ方向の回転中に爪部材５１と歯４４との係合が断続的に解除されるようになっているために、巻き取りドラム６のＦ方向の回転を一時停止しても、直ちに禁止手段２２を働かせることができ、また、障子３の開放後、爪部材５１と歯４４との係合を直ちに確保できるために、巻き取りドラム６のＦ方向の回転を行えば、押しボタン９１の自動復帰を直ちに行うことができ、加えて、折り畳み自在な操作ハンドル１０１を備えているために、操作ハンドル１０１の紛失等を生じさせることがなく、しかも、自動解除付き回転伝達手段１０２を具備しているために、巻き取りドラム６の逆転に際して、操作ハンドル１０１の回転を好ましく避けることができ、自動解除付き回転伝達手段１０２を実質的にハンドル基部１１２に収容でき、折り畳まれた操作ハンドル１０１の厚みを薄くでき、コンパクトに形成できる。
【００５８】
【発明の効果】
本発明によれば、押しボタンの自動復帰は勿論のこと、押しボタンの操作をスムーズに行うことができ、操作ハンドルの紛失等を生じさせることがなく、しかも、操作ハンドルの折り畳みにより、操作ハンドルと巻き取りドラムとの連結を自動的に解除できる窓開閉操作装置を提供することができる。
【図面の簡単な説明】
【図１】本発明の好ましい一実施の形態の図２に示す例の分解説明図である。
【図２】本発明の好ましい一実施の形態の例の断面図である。
【図３】図２の例のカバーを取り除いた正面図である。
【図４】図２の例のカバーを取り除いた一部正面図である。
【図５】図２の例の操作ハンドルを折り畳んだ場合の正面図である。
【図６】図２の例の操作ハンドルを折り畳んだ場合の底面図である。
【図７】図２の例を排煙窓に適用した説明図である。
【図８】図２の例の操作ハンドルの折り畳みを解除した場合の正面図である。
【図９】図２の例の動作説明図である。
【図１０】図２の例の動作説明図である。
【符号の説明】
１  窓開閉操作装置
２  ガスステイ
３  障子
４  ワイヤ
６  巻き取りドラム
２１  回転手段
２２  禁止手段
２３  解除手段
５１  爪部材
５２  切り欠き部
５３  揺動部材
５４  ローラ
９１  押しボタン
【図１】
0004192312.tif 000002
【図２】
0004192312.tif 000003
【図３】
0004192312.tif 000004
【図４】
0004192312.tif 000005
【図５】
0004192312.tif 000006
【図６】
0004192312.tif 000007
【図７】
0004192312.tif 000008
【図８】
0004192312.tif 000009
【図９】
0004192312.tif 000010
【図１０】
0004192312.tif 000011